(57)【要約】【課題】  カセットチューブ内の硬貨を回収する際の枚数精度や作業効率を向上させる。【解決手段】  カセットチューブには、開孔部と、係合溝と、第１突起部と、が設けられ、押圧部材は、係合溝に係合して、押圧部材をカセットチューブに取り付ける第１係合部と、押圧部材がカセットチューブに取り付けられた状態で押圧部材に荷重が加えられると、開孔部を介してコインチューブの内径より内側に進入し、硬貨をコインチューブの内壁に押圧する押圧部と、押圧部材がカセットチューブに取り付けられた状態で押圧部をコインチューブの内径より外側に退出させるように付勢する第１弾性部と、を有し、第１突起部は、コインチューブごとに設定された底面からＮ（≧２）枚目の硬貨が押圧部によりコインチューブの内壁に押圧された場合に、Ｎ枚目の硬貨の板厚方向の移動を規制して、Ｎ枚目の硬貨を保持する。【選択図】  図１１
2015026121.tif 000002
【特許請求の範囲】
【請求項１】
硬貨を収納する１つ以上のコインチューブを有し、前記硬貨の収納および払出しをする硬貨処理装置に着脱可能なカセットチューブと、
前記カセットチューブに取り付けられる押圧部材と、
を備え、
前記カセットチューブには、
前記コインチューブごとに形成された開孔部と、
前記開孔部の前記硬貨の板厚方向における位置に対応して形成された係合溝と、
前記開孔部の前記硬貨の板厚方向における位置に対応して前記コインチューブの内壁に形成された第１突起部と、
が設けられ、
前記押圧部材は、
前記係合溝に係合して、前記押圧部材を前記カセットチューブに取り付ける第１係合部と、
前記押圧部材が前記カセットチューブに取り付けられた状態で前記押圧部材に荷重が加えられると、前記開孔部を介して前記コインチューブの内径より内側に進入し、前記硬貨を前記コインチューブの内壁に押圧する押圧部と、
前記押圧部材が前記カセットチューブに取り付けられた状態で前記押圧部を前記コインチューブの内径より外側に退出させるように付勢する第１弾性部と、
を有し、
前記第１突起部は、前記コインチューブごとに設定された底面からＮ枚目（Ｎは２以上の整数）の硬貨が前記押圧部により前記コインチューブの内壁に押圧された場合に、前記Ｎ枚目の硬貨の板厚方向の移動を規制して、前記Ｎ枚目の硬貨を保持することを特徴とする硬貨収納装置。
【請求項２】
請求項１に記載の硬貨収納装置であって、
前記開孔部は、前記コインチューブごとに前記硬貨の板厚方向に複数形成され、
前記係合溝は、前記開孔部の前記硬貨の板厚方向における位置に対応して複数形成され、
前記第１突起部は、前記開孔部の前記硬貨の板厚方向における位置に対応して前記コインチューブの内壁に複数形成され、
前記押圧部材は、前記第１係合部が前記係合溝のそれぞれに着脱可能に係合して、前記カセットチューブに取り付けられることを特徴とする硬貨収納装置。
【請求項３】
請求項１または請求項２に記載の硬貨収納装置であって、
前記カセットチューブには、
前記第１突起部の前記硬貨の板厚方向における位置に対応して前記コインチューブの内壁に形成され、前記Ｎ枚目の硬貨が前記押圧部により前記コインチューブの内壁に押圧された場合に、少なくとも前記コインチューブの底面から（Ｎ＋１）枚目の硬貨が前記コインチューブの内壁に押圧されないようにするための凹部がさらに設けられていることを特徴とする硬貨収納装置。
【請求項４】
請求項３に記載の硬貨収納装置であって、
前記カセットチューブには、
前記第１突起部の前記硬貨の板厚方向における位置に対応して前記コインチューブの内壁に形成され、前記Ｎ枚目の硬貨が前記押圧部に押された場合に、前記Ｎ枚目の硬貨を前記第１突起部の方向に移動させる第２突起部がさらに設けられていることを特徴とする硬貨収納装置。
【請求項５】
請求項１ないし請求項４の何れかに記載の硬貨収納装置であって、
前記カセットチューブに取り付けられ、前記押圧部材を係止する係止部材をさらに備え、
前記係止部材は、
前記押圧部が前記開孔部を介して前記コインチューブの内径より内側に進入した状態で前記第１係合部と係合して、前記押圧部の位置を固定する第２係合部と、
前記第２係合部が前記第１係合部と係合する方向に付勢する第２弾性部と、
を有することを特徴とする硬貨収納装置。
【請求項６】
請求項５に記載の硬貨収納装置であって、
前記係止部材は、前記第２係合部が前記第１係合部と対向して前記硬貨の板厚方向にスライド可能に、前記カセットチューブに取り付けられ、
前記第２弾性部は、前記硬貨の板厚方向のうち、前記第２係合部が前記第１係合部と係合する第１の方向に付勢し、
前記第２係合部は、前記第１係合部と係合した状態で、前記係止部材に前記第１の方向と反対の第２の方向の荷重が加えられると、前記第２の方向にスライドして前記第１係合部との係合を解除することを特徴とする硬貨収納装置。
【請求項７】
請求項１ないし請求項６の何れかに記載の硬貨収納装置であって、
前記第１弾性部は、前記押圧部材が前記カセットチューブに取り付けられた状態で先端が前記カセットチューブに当接するように、前記押圧部材の本体から前記硬貨の板厚方向の両側に延びる弓形に形成され、前記押圧部材が前記カセットチューブから離れる方向に付勢することを特徴とする硬貨収納装置。
【請求項８】
硬貨の収納および払出しをする硬貨処理装置であって、
筐体と、
前記硬貨を収納する１つ以上のコインチューブを有し、前記筐体に着脱可能なカセットチューブと、
前記カセットチューブに取り付けられる押圧部材と、
を備え、
前記カセットチューブには、
前記コインチューブごとに形成された開孔部と、
前記開孔部の前記硬貨の板厚方向における位置に対応して形成された係合溝と、
前記開孔部の前記硬貨の板厚方向における位置に対応して前記コインチューブの内壁に形成された第１突起部と、
が設けられ、
前記押圧部材は、
前記係合溝に係合して、前記押圧部材を前記カセットチューブに取り付ける第１係合部と、
前記押圧部材が前記カセットチューブに取り付けられた状態で前記押圧部材に荷重が加えられると、前記開孔部を介して前記コインチューブの内径より内側に進入し、前記硬貨を前記コインチューブの内壁に押圧する押圧部と、
前記押圧部材が前記カセットチューブに取り付けられた状態で前記押圧部を前記コインチューブの内径より外側に退出させるように付勢する第１弾性部と、
を有し、
前記第１突起部は、前記コインチューブごとに設定された底面からＮ枚目（Ｎは２以上の整数）の硬貨が前記押圧部により前記コインチューブの内壁に押圧された場合に、前記Ｎ枚目の硬貨の板厚方向の移動を規制して保持することを特徴とする硬貨処理装置。
【発明の詳細な説明】
【技術分野】
【０００１】
本発明は、硬貨収納装置および硬貨処理装置に関する。
【背景技術】
【０００２】
自動販売機、両替機等では、投入された硬貨を識別し、収納もしくは返却する硬貨処理装置が使用されている。また、自動販売機には、販売した商品に対する釣銭の払出し機能を有した硬貨処理装置も使用されている。
【０００３】
このような硬貨処理装置を備えた自動販売機等において、ルートマンが釣銭硬貨を回収・補充する際には、カセットチューブ（カセット式コインチューブ）内に保持される硬貨を所定枚数とする必要がある。例えば、特許文献１では、シリコンゴム等の弾性体を、側面に設けられた開孔を介してカセットチューブの内方に突出させ、硬貨を対向する内壁面に押圧して支持することによって、硬貨の回収をスピーディに行うことができる硬貨処理装置が開示されている。
【０００４】
このようにして、開孔が設けられた位置に対応する所定枚数目の硬貨を弾性支持することによって、カセットチューブ内に所定枚数を残して、所定枚数を超える余剰硬貨を回収することができる。
【先行技術文献】
【特許文献】
【０００５】
【特許文献１】特許第３１９７６７５号公報
【発明の概要】
【発明が解決しようとする課題】
【０００６】
しかしながら、特許文献１の硬貨処理装置では、カセットチューブ内の硬貨の枚数や、弾性体を指で押さえる際の押圧力、硬貨ごとの摩擦係数などの要因により、規定枚数に対して±１枚程度の誤差が発生する場合がある。そのため、硬貨を回収した後でカセットチューブ内に残った硬貨の枚数を確認し、超過分の回収や不足分の補充などの追加作業が必要となる。
【０００７】
また、特許文献１の硬貨処理装置では、複数の種類の硬貨を一度に回収する場合、例えば１００円硬貨、５０円硬貨、１０円硬貨用の弾性体をそれぞれ人差し指、中指、薬指で押さえる必要があるため、押圧力が不安定になりやすい。一方、両手を使って複数の種類の硬貨を安定して押圧することもできるが、この場合には、両手が塞がってしまうため、集金袋などに硬貨を回収するのが困難となる。
【課題を解決するための手段】
【０００８】
前述した課題を解決する主たる本発明は、硬貨を収納する１つ以上のコインチューブを有し、前記硬貨の収納および払出しをする硬貨処理装置に着脱可能なカセットチューブと、前記カセットチューブに取り付けられる押圧部材と、を備え、前記カセットチューブには、前記コインチューブごとに形成された開孔部と、前記開孔部の前記硬貨の板厚方向における位置に対応して形成された係合溝と、前記開孔部の前記硬貨の板厚方向における位置に対応して前記コインチューブの内壁に形成された第１突起部と、が設けられ、前記押圧部材は、前記係合溝に係合して、前記押圧部材を前記カセットチューブに取り付ける第１係合部と、前記押圧部材が前記カセットチューブに取り付けられた状態で前記押圧部材に荷重が加えられると、前記開孔部を介して前記コインチューブの内径より内側に進入し、前記硬貨を前記コインチューブの内壁に押圧する押圧部と、前記押圧部材が前記カセットチューブに取り付けられた状態で前記押圧部を前記コインチューブの内径より外側に退出させるように付勢する第１弾性部と、を有し、前記第１突起部は、前記コインチューブごとに設定された底面からＮ枚目（Ｎは２以上の整数）の硬貨が前記押圧部により前記コインチューブの内壁に押圧された場合に、前記Ｎ枚目の硬貨の板厚方向の移動を規制して、前記Ｎ枚目の硬貨を保持することを特徴とする硬貨収納装置である。
【０００９】
本発明の他の特徴については、添付図面及び本明細書の記載により明らかとなる。
【発明の効果】
【００１０】
本発明によれば、カセットチューブ内の硬貨を回収する際の枚数精度や作業効率を向上させることができる。
【図面の簡単な説明】
【００１１】
【図１】硬貨処理装置の外観構成例を示す図である。
【図２】硬貨処理装置の内部構成例を示す図である。
【図３】カセットチューブの外観構成例を示す図である。
【図４】カセットチューブの内部構成例を示す図である。
【図５】本発明の一実施形態における硬貨収納装置の構成を示す図である。
【図６】図５に示した硬貨収納装置において、カバー２２０を省略した図である。
【図７】スライド板６３０および固定片６４０のカセットチューブ２００への取付状態を示す図である。
【図８】レバー６００の構成の詳細を示す斜視図である。
【図９】スライド板６３０の構成の詳細を示す斜視図である。
【図１０】固定片６４０の構成の詳細を示す斜視図である。
【図１１】カバー２２０を省略した硬貨収納装置において、動作状態における規定枚数目の硬貨の状態を示す拡大図である。
【図１２】カバー２２０を省略した硬貨収納装置において、動作状態における規定枚数＋１枚目の硬貨の状態を示す拡大図である。
【図１３】動作状態においてカセットチューブ２００を規定枚数目の硬貨の位置で切断して拡大した水平断面図である。
【図１４】動作状態においてカセットチューブ２００を規定枚数＋１枚目の硬貨の位置で切断して拡大した水平断面図である。
【図１５】動作状態においてカセットチューブ２００を第１突起部２１１および押圧部６０４の位置で切断した垂直断面図である。
【図１６】動作状態においてカセットチューブ２００を第１突起部２１１および第２突起部２１３の位置で切断した垂直断面図である。
【図１７】固定状態においてカセットチューブ２００をスライド板６３０の位置で切断した垂直断面図である。
【図１８】解除状態においてカセットチューブ２００をスライド板６３０の位置で切断した垂直断面図である。
【発明を実施するための形態】
【００１２】
本明細書および添付図面の記載により、少なくとも以下の事項が明らかとなる。
【００１３】
＝＝＝硬貨処理装置の概要＝＝＝
図１ないし図４を参照しつつ、硬貨処理装置（コインメック）１０００の概要について説明する。なお、図１は、硬貨処理装置１０００の外観構成例を示す斜視図である。図２は、硬貨処理装置１０００の内部構成例を示す図である。図３は、カセットチューブ２００の外観構成例を示す斜視図である。図４は、カセットチューブ２００の内部構成例を示す図である。
【００１４】
以下の説明において、図中の＋ｚ方向は硬貨処理装置１０００の鉛直上向きに対応し、＋ｙ方向は硬貨処理装置１０００の正面側から背面側に向かう向きに対応し、＋ｘ方向は硬貨処理装置１０００を正面から見たときに左側から右側に向かう向きに対応するものとする。また、図中の各座標軸は、矢印の方向で＋方向を表すとともに、×印付きの丸印で紙面の手前から奥に向かう方向が＋方向であることを示し、黒丸付きの丸印で紙面の奥から手前に向かう方向が＋方向であることを示している。
【００１５】
図１に例示されるように、硬貨処理装置１０００は、筐体１００内に硬貨投入口１０１と硬貨選別部１１０とカセットチューブ２００とが収容されるとともに、ケーブル１２０を有して構成されている。
【００１６】
ケーブル１２０は、硬貨処理装置１０００が設置される自動販売機（不図示）の各種制御回路や電源等と、硬貨処理装置１０００とを接続するための接続部である。
【００１７】
硬貨選別部１１０は、硬貨投入口１０１に投入された硬貨Ｃの真偽を判別するとともに、硬貨Ｃを種類別に分類する装置である。
【００１８】
カセットチューブ２００は、硬貨選別部１１０により種類別に分類された硬貨Ｃを種類別に収納しておく装置である。
【００１９】
図２に例示されるように、硬貨処理装置１０００は、筐体１００の上面側に硬貨投入口１０１を備え、硬貨投入口１０１の下部において、硬貨Ｃの投入を検出するとともにその種類や真偽等を判別する硬貨検出部１０２、判別の結果に基づいて受け入れた硬貨Ｃを金種別に振り分けるゲート１１１、１１２、１１３、１１４、振り分けた硬貨Ｃを釣銭硬貨として金種別に収納するカセットチューブ２００等を備えている。
【００２０】
またカセットチューブ２００は、釣銭硬貨としての硬貨Ｃの満杯の有無を検出する満杯センサ１０３や、釣銭硬貨としての硬貨Ｃの有無を検出する釣銭センサ１０４、硬貨Ｃを釣銭として払出すための所定の払出し手段（不図示）等を備えている。
【００２１】
図２の点線の矢印で示されるように、硬貨投入口１０１から投入された硬貨Ｃは、硬貨検出部１０２で検出されるとともに所定の判別が行なわれた後、この判別結果に応じてゲート１１１、１１２、１１３、１１４によって金種別に振り分けられて、カセットチューブ２００に収納されるようになっている。
【００２２】
そしてこのカセットチューブ２００内に貯蔵される硬貨Ｃは、定期的にルートマン等の保守員により回収あるいは補充される。保守員は、自動販売機のメンテナンス時に、カセットチューブ２００を硬貨処理装置１０００から取り外し、カセットチューブ２００内の硬貨Ｃが規定の枚数あるいは金額になるように、各種類の硬貨Ｃを補充あるいは回収する。
【００２３】
カセットチューブ２００の外観構成例を図３に示す。またカセットチューブ２００の内部構成例を図４に示す。
【００２４】
カセットチューブ２００は、硬貨Ｃの種類に応じた内径を有する複数の円筒（コインチューブ）を有している。図４に示す例では、カセットチューブ２００は、５００円硬貨用チューブ２０１と、１００円硬貨用チューブ２０２と、１０円硬貨用チューブ２０３と、５０円硬貨用チューブ２０４と、予備チューブ２０５とを有している。
【００２５】
また図４に示すように、カセットチューブ２００はベース２１０とカバー２２０とを有して構成される。ベース２１０とカバー２２０とは開閉可能に構成されている。図４は、カバー２２０を開いた状態を示す。
【００２６】
ベース２１０は、硬貨Ｃが収納される円筒の一部を形成する半円筒面が、硬貨Ｃの種類毎に複数形成されている。またカバー２２０は、硬貨Ｃが収納される円筒の他の一部を形成する半円筒面が、硬貨Ｃの種類毎に形成されている。
【００２７】
そしてベース２１０とカバー２２０とを閉じてそれぞれの半円筒面を合体することにより、硬貨Ｃが収納される円筒が形成される。
【００２８】
＝＝＝硬貨収納装置の構成＝＝＝
以下、図５ないし図１０を参照して、本発明の一実施形態における硬貨収納装置の構成について説明する。なお、本実施形態の硬貨収納装置は、カセットチューブ２００、レバー６００（押圧部材）、スライド板６３０、および固定片６４０からなる。ここで、スライド板６３０および固定片６４０は、レバー６００を係止する係止部材に相当し、当該係止部材として一体に構成されていてもよい。
【００２９】
図５は、カセットチューブ２００のカバー２２０側（硬貨処理装置１０００の背面側）に２個のレバー６００を取り付けた状態を示し、図６は、図５においてカバー２２０を省略してベース２１０の内部構成を示している。また、図７は、カセットチューブ２００のベース２１０側（硬貨処理装置１０００の正面側）にスライド板６３０および固定片６４０を取り付けた状態を示している。また、図８ないし図１０は、それぞれレバー６００、スライド板６３０、および固定片６４０の構成の詳細を示している。
【００３０】
図５に示すように、カセットチューブ２００のカバー２２０側には、各コインチューブのｚ軸方向（硬貨の板厚方向）に複数形成された開孔部６２０および６２５が設けられている。さらに、カセットチューブ２００のカバー２２０側には、開孔部６２０および６２５のｚ軸方向における位置に対応して各コインチューブ間に形成された係合溝６１０が設けられている。なお、開孔部６２０、６２５、および係合溝６１０は、各コインチューブに対応して設けられるが、図５においては、その一部が示されている。
【００３１】
ここで、開孔部６２０は、レバー６００に荷重を加えてその一部（後述する押圧部６０４）をコインチューブ内に進入させ、硬貨を押圧するために必要な構成である。一方、開孔部６２５は、レバー６００に荷重を加えた際に隣接するコインチューブと干渉しないようにするための構成であり、カバー２２０の形状やレバー６００の形状によっては不要となる。また、係合溝６１０は、レバー６００をカバー２２０に取り付けるための構成である。
【００３２】
図６に示すように、カセットチューブ２００のベース２１０側の内壁には、開孔部６２０のｚ軸方向における位置に対応して形成された第１突起部２１１、凹部２１２、および第２突起部２１３が設けられている。なお、第１突起部２１１、凹部２１２、および第２突起部２１３は、各コインチューブに対応して設けられるが、図６においては、その一部が示されている。
【００３３】
ここで、第１突起部２１１は、コインチューブの底面（−ｚ方向側の面）から規定枚数目の硬貨を確実に保持するための構成であり、各コインチューブの中心軸に対してレバー６００と対称な位置付近に形成されている。より具体的には、図５および図６に示すように、カセットチューブ２００のカバー２２０における各コインチューブの＋ｘ方向側にレバー６００が取り付けられ、ベース２１０における各コインチューブの−ｘ方向側に第１突起部２１１が形成されている。なお、図６においては、各コインチューブに３個の第１突起部２１１が形成され、したがって、各コインチューブに３種類の規定枚数が設定されている。
【００３４】
また、第２突起部２１３は、規定枚数目の硬貨を確実に第１突起部２１１の方向に移動させるための構成であり、各コインチューブの中心軸に対して第１突起部２１１と対称な位置付近で、第１突起部２１１から−ｚ方向側に形成されている。より具体的には、図６に示すように、カセットチューブ２００のベース２１０における各コインチューブの＋ｘ方向側（レバー６００の取付側）に第２突起部２１３が形成されている。さらに、凹部２１２は、規定枚数を超える硬貨が保持されないよう、規定枚数目の硬貨より上側（＋ｚ方向側）にある硬貨を逃がすための構成であり、第１突起部２１１から＋ｚ方向側に形成されている。
【００３５】
図８に示すように、レバー６００は、ボディ部６０１（本体）、第１弾性部６０２、第１係合部６０３、および押圧部６０４を有し、プラスチック等の樹脂で形成されている。第１弾性部６０２は、その先端がボディ部６０１より−ｊ方向に位置するように、ボディ部６０１からｋ軸方向の両側（＋ｋ方向および−ｋ方向）に弓形に延びるように形成されている。また、ボディ部６０１の−ｊ方向（第１弾性部６０２への荷重の方向）側には、両側の第１弾性部６０２の中間点付近から延びる第１係合部６０３が形成され、第１係合部６０３より−ｉ方向の位置に押圧部６０４が形成されている。なお、ボディ部６０１に加えられる荷重のばらつきを吸収するため、押圧部６０４のうち、少なくとも硬貨との接触面をシリコンゴム等の弾性体で構成してもよい。
【００３６】
レバー６００は、図８における＋ｉ方向、＋ｊ方向、＋ｋ方向が、それぞれ図５における＋ｘ方向、＋ｙ方向、＋ｚ方向と一致するように、第１係合部６０３が係合溝６１０に係合してカセットチューブ２００（カバー２２０）に取り付けられる。なお、レバー６００の第１係合部６０３は、各係合溝６１０に対して着脱可能に係合する。
【００３７】
レバー６００がカバー２２０に取り付けられると、第１弾性部６０２の先端がカバー２２０に当接し、第１弾性部６０２は、レバー６００全体を＋ｙ方向（カバー２２０から離れる方向）に付勢する。ここで、開孔部６２０は、レバー６００の第１係合部６０３を各係合溝６１０に係合させた状態での押圧部６０４の位置に対応して形成されている。
【００３８】
図９に示すように、スライド板６３０は、第２係合部６３１および溝部６３２を有し、プラスチック等の樹脂で略長方形の板状に形成されている。図９において、ｋ軸方向およびｊ軸方向は、それぞれスライド板６３０の長手方向および短手方向に対応し、ｉ軸方向は、スライド板６３０の板厚方向に対応する。また、スライド板６３０の長手方向の側面のうち、＋ｊ方向側の側面には、第２係合部６３１が形成され、−ｊ方向側の側面には、＋ｋ方向側の端部付近に溝状に切り欠かれた溝部６３２が形成されている。
【００３９】
なお、レバー６００の第１係合部６０３とスライド板６３０の第２係合部６３１とは、互いに係合可能なフック状に形成されている。また、第２係合部６３１の個数および間隔は、カセットチューブ２００のカバー２２０側に設けられる開孔部６２０および係合溝６１０に応じて定まり、図９に示す例では、スライド板６３０に第２係合部６３１が３個形成されている。
【００４０】
図１０に示すように、固定片６４０は、第３突起部６４１および第２弾性部６４２を有し、プラスチック等の樹脂で形成されている。第３突起部６４１は、固定片６４０の本体から＋ｊ方向に突出して形成されている。また、第２弾性部６４２は、その先端が基端より−ｋ方向に位置するように、固定片６４０の本体からｉ軸方向の両側（＋ｉ方向および−ｉ方向）に略半円状に延びるように形成されている。
【００４１】
なお、スライド板６３０の溝部６３２と固定片６４０の第３突起部６４１とは、嵌合可能に形成されている。また、図１０に示す例では、固定片６４０に第３突起部６４１が２個形成されており、それらは、２個のスライド板６３０の溝部６３２にそれぞれ嵌合することとなる。
【００４２】
スライド板６３０および固定片６４０は、図９および図１０における＋ｉ方向、＋ｊ方向、＋ｋ方向が、それぞれ図７における＋ｘ方向、＋ｙ方向、＋ｚ方向と一致するように、カセットチューブ２００（ベース２１０）に取り付けられる。その際、固定片６４０は、各コインチューブと干渉しないベース２１０の−ｙ方向側に、第２弾性部６４２の先端部の位置を固定して取り付けられる。また、ベース２１０には、各コインチューブ間にスライド板６３０を取り付けるためのスリットが設けられており、スライド板６３０は、当該スリットを介して、溝部６３２に固定片６４０の第３突起部６４１が嵌合するように取り付けられる。
【００４３】
スライド板６３０および固定片６４０がベース２１０に取り付けられると、スライド板６３０の第２係合部６３１はレバー６００の第１係合部６０３と対向する。このとき、各コインチューブ間に設けられたスリットがガイドレールとして機能し、スライド板６３０は、溝部６３２に固定片６４０の第３突起部６４１が嵌合した状態でｚ軸方向にスライド可能となる。そして、固定片６４０は、第２弾性部６４２の先端部の位置が固定されているため、スライド板６３０を＋ｚ方向（第２係合部６３１がレバー６００の第１係合部６０３と係合する第１の方向）に付勢する。
【００４４】
＝＝＝硬貨収納装置の作用＝＝＝
以下、図１１ないし図１８を適宜参照して、本実施形態における硬貨収納装置の作用について説明する。なお、前述したように、本実施形態の硬貨収納装置では、カセットチューブ内に残すべき硬貨の規定枚数が各コインチューブに３種類設定されており、また、レバー６００の第１係合部６０３は、各係合溝６１０に対して着脱可能に係合する。したがって、レバー６００の取付位置（係合溝６１０）により、コインチューブごとに規定枚数を選択することができ、以下の説明において、当該選択された規定枚数をＮ枚（Ｎ≧２）とする。
【００４５】
図１１ないし図１４は、ボディ部６０１に指等で荷重を加えてレバー６００全体を−ｙ方向（図８における−ｊ方向）に動作させた動作状態における、底面からＮ枚目（規定枚数目）の硬貨Ｃ０または（Ｎ＋１）枚目（規定枚数＋１枚目）の硬貨Ｃ１の状態を示している。図１１および図１２は、図６と同様にカバー２２０を省略した硬貨収納装置において、それぞれ、動作状態における硬貨Ｃ０および硬貨Ｃ１を斜め上方から見た拡大図である。一方、図１３および図１４は、それぞれ、動作状態においてカセットチューブ２００を硬貨Ｃ０および硬貨Ｃ１の位置で切断して拡大した水平断面図である。
【００４６】
また、図１５および図１６は、動作状態における硬貨Ｃ０および硬貨Ｃ１と、各コインチューブの内壁に形成された第１突起部２１１、凹部２１２、および第２突起部２１３との位置関係を示している。図１５（Ｂ）は、動作状態において、カセットチューブ２００を図１５（Ａ）の平面図に示すＡ−Ａ線で切断し、硬貨Ｃ０および硬貨Ｃ１と、第１突起部２１１および押圧部６０４との位置関係を示す垂直断面図である。一方、図１６（Ｂ）は、動作状態において、カセットチューブ２００を図１６（Ａ）の平面図に示すＢ−Ｂ線で切断し、硬貨Ｃ０および硬貨Ｃ１と、第１突起部２１１および第２突起部２１３との位置関係を示す垂直断面図である。
【００４７】
さらに、図１７および図１８は、スライド板６３０および固定片６４０と、レバー６００との位置関係を示している。図１７は、スライド板６３０および固定片６４０によってレバー６００が係止され、押圧部６０４の位置が固定された固定状態において、カセットチューブ２００をスライド板６３０の位置で切断した垂直断面図である。一方、図１８は、スライド板６３０（第２係合部６３１）とレバー６００（第１係合部６０３）との係合が解除された解除状態において、カセットチューブ２００をスライド板６３０の位置で切断した垂直断面図である。
【００４８】
前述したように、レバー６００がカセットチューブ２００（カバー２２０）に取り付けられると、第１弾性部６０２によってレバー６００全体が＋ｙ方向（図８における＋ｊ方向）に付勢される。したがって、ボディ部６０１に荷重を加えていない待機状態では、押圧部６０４はコインチューブの内径より外側にあり、コインチューブ内の硬貨は、押圧部６０４で押圧されず、保持されない。そのため、この状態でコインチューブを傾斜させると、コインチューブ内の硬貨がすべて回収される。
【００４９】
これに対して、動作状態では、図１３および図１４に示すように、レバー６００全体が−ｙ方向に動作することによって、押圧部６０４が開孔部６２０を介してコインチューブの内径より内側に進入する。
【００５０】
そして、図１１および図１３に示すように、コインチューブ内の底面からＮ枚目の硬貨Ｃ０は、押圧部６０４により、コインチューブの押圧部６０４とは反対側の内壁に押圧される。さらに、図１１および図１５に示すように、硬貨Ｃ０は、第１突起部２１１により板厚方向（図１５においてｚ軸方向）の移動が規制される。なお、このとき、図１３および図１６に示すように、第１突起部２１１から−ｚ方向側に形成された第２突起部２１３は、硬貨Ｃ０が押圧部６０４に押された際に、硬貨Ｃ０を確実に第１突起部２１１の方向に移動させる。
【００５１】
したがって、押圧部６０４の押圧力にばらつきが生じても、硬貨Ｃ０は、押圧部６０４およびコインチューブの内壁とともに、第１突起部２１１によって保持される。そのため、この状態でコインチューブを傾斜させると、硬貨Ｃ０以下のＮ枚（規定枚数）の硬貨はコインチューブ内に残される。
【００５２】
ところで、カセットチューブ２００やレバー６００の寸法精度によっては、コインチューブ内の底面から（Ｎ＋１）枚目の硬貨Ｃ１も押圧部６０４に押されてしまう可能性がある。しかしながら、図１２および図１５に示すように、硬貨Ｃ１は、第１突起部２１１より上側にあるため、板厚方向の移動は規制されない。さらに、図１４および図１５に示すように、各コインチューブの内壁には、第１突起部２１１から＋ｚ方向側に、硬貨Ｃ１がコインチューブの内壁に押圧されないように逃がすための凹部２１２が形成されている。
【００５３】
したがって、硬貨Ｃ１は、押圧部６０４に押されても、第１突起部２１１によって保持されない。そのため、この状態でコインチューブを傾斜させると、硬貨Ｃ０より上側にある、硬貨Ｃ１を含む余剰硬貨（規定枚数を超える硬貨）を回収することができる。
【００５４】
このように、本実施形態の硬貨収納装置では、レバー６００のボディ部６０１に荷重を加え、開孔部６２０を介して押圧部６０４で硬貨Ｃ０をコインチューブの内壁に押圧する。そして、第１突起部２１１により硬貨Ｃ０の板厚方向の移動を規制して硬貨Ｃ０を保持するとともに、凹部２１２により硬貨Ｃ１を含む余剰硬貨がコインチューブの内壁に押圧されないように逃がすことによって、規定枚数の硬貨を残して、余剰硬貨を回収することができる。
【００５５】
さらに、動作状態では、図１７に示すように、固定片６４０（第２弾性部６４２）によって＋ｚ方向に付勢されたスライド板６３０（第２係合部６３１）がレバー６００（第１係合部６０３）と係合し、レバー６００の押圧部６０４の位置が固定されて固定状態となる。そのため、指等を離してボディ部６０１に荷重が加えられなくなっても、硬貨保持状態が継続することとなる。したがって、複数のコインチューブに対してそれぞれレバー６００を取り付け、それらを固定状態としたうえでコインチューブを傾斜させると、複数の種類の硬貨について、押圧部６０４の位置以下の所定枚数の硬貨を残して、余剰硬貨を回収することができる。その際、両手が自由に使えるため、集金袋などに硬貨を回収するのも容易となり、作業効率が向上する。
【００５６】
そして、固定状態において、図１８に示すように、固定片６４０の本体に−ｚ方向（第２弾性部６４２の付勢力に抗する第２の方向）の荷重が加えられると、スライド板６３０（第２係合部６３１）が−ｚ方向にスライドしてレバー６００（第１係合部６０３）との係合を解除し、解除状態となる。ここで、第１弾性部６０２の弾性力によってレバー６００全体が＋ｙ方向に付勢されているため、解除状態となると、押圧部６０４がコインチューブの内径より外側に退出して、レバー６００は再び待機状態となる。
【００５７】
なお、固定状態から解除状態にするためには、固定片６４０のうち、例えば図１０におけるＡの箇所を指等で荷重を加えればよい。また、図１０におけるＢの箇所は、図１７に示したように、固定状態ではベース２１０より＋ｚ方向に突出しているため、固定状態のままカセットチューブ２００を硬貨処理装置１０００に取り付けると、固定片６４０の本体に−ｚ方向の荷重が加わることとなる。したがって、各コインチューブの回収後は、カセットチューブ２００をそのまま硬貨処理装置１０００に戻すことができる。
【００５８】
前述したように、カセットチューブ２００およびレバー６００を備える硬貨収納装置において、レバー６００をカセットチューブ２００に取り付け、レバー６００に指等で荷重を加え、開孔部６２０を介して押圧部６０４で規定枚数目の硬貨Ｃ０をコインチューブの内壁に押圧しつつ、第１突起部２１１により硬貨Ｃ０の板厚方向の移動を規制して硬貨Ｃ０を保持することによって、押圧部６０４の押圧力にばらつきが生じても、精度良く硬貨Ｃ０以下の規定枚数の硬貨を残して、硬貨Ｃ０より上側にある余剰硬貨を回収することができる。これにより、カセットチューブ内の硬貨を回収する際の枚数精度や作業効率を向上させることができる。
【００５９】
また、コインチューブごとに、硬貨の板厚方向に複数形成された開孔部６２０、開孔部６２０の硬貨の板厚方向における位置に対応して複数形成された係合溝６１０および第１突起部２１１を設け、レバー６００の第１係合部６０３を各係合溝６１０に対して着脱可能とすることによって、レバー６００の取付位置（係合溝６１０）により、コインチューブごとに規定枚数を選択することができる。
【００６０】
また、各コインチューブの第１突起部２１１から＋ｚ方向側の内壁に、少なくとも規定枚数＋１枚目の硬貨Ｃ１がコインチューブの内壁に押圧されないように逃がすための凹部２１２を形成することによって、硬貨Ｃ０より上側にある余剰硬貨が押圧部６０４に押されても保持されず、精度良く規定枚数の硬貨を残すことができる。
【００６１】
また、各コインチューブの第１突起部２１１から−ｚ方向側の内壁に、硬貨Ｃ０が押圧部６０４に押された際に第１突起部２１１の方向に移動させるための第２突起部２１３を形成することによって、第１突起部２１１により硬貨Ｃ０が確実に保持され、精度良く規定枚数の硬貨を残すことができる。
【００６２】
また、固定片６４０（第２弾性部６４２）によって付勢されたスライド板６３０（第２係合部６３１）がレバー６００（第１係合部６０３）と係合し、レバー６００の押圧部６０４の位置を固定することによって、指等を離してボディ部６０１に荷重が加えられなくなっても硬貨保持状態が継続するため、複数の種類の硬貨を一度に回収する場合の作業効率を向上させることができる。
【００６３】
また、スライド板６３０をｚ軸方向にスライド可能とし、固定片６４０（第２弾性部６４２）によって＋ｚ方向に付勢することによって、固定片６４０の本体に荷重を加えてスライド板６３０（第２係合部６３１）を−ｚ方向にスライドさせ、レバー６００（第１係合部６０３）との係合を解除し、再び待機状態とすることができる。
【００６４】
また、レバー６００がカバー２２０に取り付けられた状態で先端がカバー２２０に当接するように、ボディ部６０１から硬貨の板厚方向の両側に延びる弓形に第１弾性部６０２を形成することによって、レバー６００全体がカバー２２０から離れる方向に付勢され、解除状態となると押圧部６０４をコインチューブの内径より外側に退出させ、レバー６００を再び待機状態とすることができる。
【００６５】
また、前述したように、カセットチューブ２００およびレバー６００を備える硬貨収納装置を自動販売機等の硬貨処理装置に用いることによって、精度良く規定枚数の硬貨を残して余剰硬貨を回収することができ、カセットチューブ内の硬貨を回収する際の枚数精度や作業効率を向上させることができる。
【００６６】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００６７】
１００          筐体
１０１          硬貨投入口
１０２          硬貨検出部
１０３          満杯センサ
１０４          釣銭センサ
１１０          硬貨選別部
１１１〜１１４  ゲート
１２０          ケーブル
２００          カセットチューブ
２０１          ５００円硬貨用チューブ
２０２          １００円硬貨用チューブ
２０３          １０円硬貨用チューブ
２０４          ５０円硬貨用チューブ
２０５          予備チューブ
２１０          ベース
２１１          第１突起部
２１２          凹部
２１３          第２突起部
２２０          カバー
６００          レバー（押圧部材）
６０１          ボディ部（本体）
６０２          第１弾性部
６０３          第１係合部
６０４          押圧部
６１０          係合溝
６２０、６２５  開孔部
６３０          スライド板
６３１          第２係合部
６３２          溝部
６４０          固定片
６４１          第３突起部
６４２          第２弾性部
１０００        硬貨処理装置（コインメック）
Ｃ、Ｃ０、Ｃ１  硬貨
【図２】
2015026121.tif 000003
【図５】
2015026121.tif 000004
【図６】
2015026121.tif 000005
【図７】
2015026121.tif 000006
【図８】
2015026121.tif 000007
【図９】
2015026121.tif 000008
【図１０】
2015026121.tif 000009
【図１１】
2015026121.tif 000010
【図１２】
2015026121.tif 000011
【図１３】
2015026121.tif 000012
【図１４】
2015026121.tif 000013
【図１５】
2015026121.tif 000014
【図１６】
2015026121.tif 000015
【図１７】
2015026121.tif 000016
【図１８】
2015026121.tif 000017
【図１】
2015026121.tif 000018
【図３】
2015026121.tif 000019
【図４】
2015026121.tif 000020